(57)【要約】  本開示は、本体部分及び吐出ヘッドを備える手持ち式液体吐出デバイスを有する液体吐出システムに関する。吐出システムは、手持ち式液体吐出デバイスから遠隔に位置する成分システム、成分システムから手持ち式液体吐出デバイスまで延在する配管を含む。成分システムは、複数の飲料成分源を有し、手持ち式液体吐出デバイスからの飲料の吐出のために飲料成分を配管に供給するように構成されている。吐出システムは、飲料についての第１のユーザ選択及びその飲料を修正する成分についての第２のユーザ選択を受信するように構成されたユーザインターフェースデバイスも含んでもよい。
2018527259.tif 000002
【特許請求の範囲】
【請求項１】
手持ち式液体吐出デバイスであって、
本体部分と、
吐出ヘッドと、を備える、手持ち式液体吐出デバイスと、
前記手持ち式液体吐出デバイスから遠隔に位置する成分システムと、
前記成分システムから前記手持ち式液体吐出デバイスまで延在する配管と、を備え、
前記成分システムが、複数の飲料成分源を有し、前記手持ち式液体吐出デバイスからの飲料の吐出のために飲料成分を配管まで供給するように構成されている、液体吐出システム。
【請求項２】
各流れ制御弁が飲料成分と関連付けられている、複数の流れ制御弁を更に備える、請求項１に記載の液体吐出システム。
【請求項３】
前記手持ち式液体吐出デバイスが、前記成分システムから第１の飲料成分を受け取り、前記第１の飲料成分を前記吐出ヘッドから第１の流量で吐出するように構成されている、請求項１に記載の液体吐出システム。
【請求項４】
前記手持ち式液体吐出デバイスが、前記成分システムから第２の飲料成分を受け取り、前記第２の飲料成分を前記吐出ヘッドから第２の流量で吐出するように構成されており、
前記第２の流量が、前記第１の流量とは異なり、
前記第１の成分及び前記第２の成分が、同時に吐出される、請求項３に記載の液体吐出システム。
【請求項５】
前記手持ち式液体吐出デバイスが、前記成分システムから第３の飲料成分を受け取り、前記第３の飲料成分を第３の流量で前記吐出ヘッドまで吐出するように構成されており、
前記第３の流量が、前記第１の流量及び前記第２の流量とは異なり、
前記第１の成分、前記第２の成分、及び前記第３の成分が、同時に吐出される、請求項４に記載の液体吐出システム。
【請求項６】
前記第１の飲料成分が、ソーダシロップであり、前記第２の飲料成分が、水であり、前記第３の飲料成分が、風味添加シロップである、請求項５に記載の液体吐出システム。
【請求項７】
飲料についての第１のユーザ選択及び前記飲料を修正する成分についての第２のユーザ選択を受信するように構成されたユーザインターフェースデバイスを更に備える、請求項１に記載の液体吐出システム。
【請求項８】
前記飲料を修正する前記成分が、風味添加シロップである、請求項７に記載の液体吐出システム。
【請求項９】
前記ユーザインターフェースデバイスが、前記手持ち式液体吐出デバイスからの飲料の放出を誘導する入力を送信するように構成されている、請求項７に記載の液体吐出システム。
【請求項１０】
前記ユーザインターフェースデバイスが、タッチパッドである、請求項７に記載の液体吐出システム。
【請求項１１】
前記ユーザインターフェースデバイスが、タッチスクリーンである、請求項７に記載の液体吐出システム。
【請求項１２】
前記配管の少なくとも一部分が、複数の別個のラインを備える主束を備え、各ラインが、特定の飲料成分に対応している、請求項１に記載の液体吐出システム。
【請求項１３】
前記成分システムが、水処理システムを更に備え、前記水処理システムは、前記水処理システムに入る水が前記水処理システムを出る際に少なくとも１つの所定の特徴を有するように、前記水処理システムに入る水を処理するように構成されている、請求項１に記載の液体吐出システム。
【請求項１４】
前記水処理システムを出る際の前記水の前記少なくとも１つの所定の特徴が、前記水処理システムに入る前記水の温度よりも低い温度である、請求項１３に記載の液体吐出システム。
【請求項１５】
前記水処理システムを出る際の前記水の前記少なくとも１つの所定の特徴が、前記水処理システムに入る前記水の温度よりも高い温度である、請求項１３に記載の液体吐出システム。
【請求項１６】
手持ち式液体吐出デバイスであって、
本体部分と、
吐出ヘッドと、を備える、手持ち式液体吐出デバイスと、
前記手持ち式液体吐出デバイスから遠隔に位置する成分システムと、
前記成分システムから前記手持ち式液体吐出デバイスまで延在する配管であって、
前記成分システムが、複数の飲料成分源を有し、前記手持ち式液体吐出デバイスからの第１の飲料の吐出のために飲料成分を前記配管まで供給するように構成されている、配管と、
前記手持ち式液体吐出デバイスからの飲料の放出を誘導する入力を送信するように構成されたユーザインターフェースデバイスと、
制御ユニットであって、
飲料についての第１のユーザ選択を受信することと、
前記飲料を修正する第２のユーザ選択を受信することと、
前記第１のユーザ選択及び前記第２のユーザ選択に基づいて組成物を吐出することと、を含む方法を実行するように構成されている、制御ユニットと、を備える、液体吐出システム。
【請求項１７】
前記第２のユーザ選択が、風味添加シロップを添加する命令を含む、請求項１６に記載の液体吐出システム。
【請求項１８】
前記方法が、選択するための複数の風味添加物を提供することを更に含み、前記複数の風味添加物が、前記吐出システムで検出された特定の成分の存在に基づく、請求項１６に記載の液体吐出システム。
【請求項１９】
前記方法が、選択するための複数の飲料を提供することを更に含み、前記複数の飲料が、前記吐出システムで検出された特定の成分の存在に基づく、請求項１６に記載の液体吐出システム。
【請求項２０】
手持ち式液体吐出デバイスであって、
本体部分と、
吐出ヘッドと、を備える、手持ち式液体吐出デバイスと、
前記手持ち式液体吐出デバイスから遠隔に位置する成分システムと、
前記成分システムから前記手持ち式液体吐出デバイスまで延在する配管であって、
前記成分システムが、複数の飲料成分源を有し、前記手持ち式液体吐出デバイスからの飲料の吐出のために飲料成分を前記配管に供給するように構成されている、配管と、
各流れ制御弁が飲料成分と関連付けられている、複数の流れ制御弁と、
飲料についての第１のユーザ選択及び前記飲料を修正する成分についての第２のユーザ選択を受信するように構成されたユーザインターフェースデバイスであって、前記飲料を修正する成分が、風味添加シロップである、ユーザインターフェースデバイスと、を備え、
前記手持ち式液体吐出デバイスが、前記成分システムから第１の飲料成分を受け取り、前記第１の飲料成分を前記吐出ヘッドから第１の流量で吐出するように構成されており、
前記手持ち式液体吐出デバイスが、前記成分システムから第２の飲料成分を受け取り、前記第２の飲料成分を前記吐出ヘッドから第２の流量で吐出するように構成されており、
前記手持ち式液体吐出デバイスが、前記成分システムから第３の飲料成分を受け取り、前記第３の飲料成分を第３の流量で前記吐出ヘッドまで吐出するように構成されており、
前記第１の成分、前記第２の成分、及び前記第３の成分が、同時に吐出され、
前記第１の飲料成分が、ソーダシロップであり、前記第２の飲料成分が、水であり、前記第３の飲料成分が、風味添加シロップである、液体吐出システム。
【発明の詳細な説明】
【発明の分野】
【０００１】
本開示は、概して、吐出機を通る飲料成分の吐出のための飲料吐出システムに関し、より具体的には、バーガン（bar gun）、ソーダガン、又は手持ち式吐出機を通る飲料成分の吐出のための飲料吐出システムに関する。
【背景技術】
【０００２】
様々な飲料吐出機、例えば、レストラン、バー、並びに他の娯楽及び／又は食品サービス場所におけるものなどは、典型的に、手持ち式バーガン又はソーダガンを有し得る。従来のバーガン吐出機システムでは、バーガンが、特定の飲み物用シロップをバーガンに供給するために専用のパイプを介していくつかの飲み物シロップ供給源に連結される。ユーザは、典型的に、バーガンをカップ上に保持し、バーガン上のボタンを押して、圧力がボタンから下げられるまで、選択された飲料が吐出ヘッドからカップの中に送出されるように、吐出機を作動させる。
【０００３】
従来のバーガンは、典型的に、飲み物の吐出に限定され、バーガン上に専用ボタンを有する。それ故に、限られた数の飲み物が、典型的に、従来のバーガンにおいて利用可能である。例えば、従来のバーガンによって典型的に利用可能な飲み物は、レギュラーコーラ飲料、ダイエットコーラ飲料、恐らく、１つ若しくはいくつかの非コーラ炭酸飲料、例えば、レモン−ライム風味の炭酸飲料又はいくつかの他のフルーツ風味の飲み物（例えば、オレンジ風味の炭酸飲料、及び／又はルートビア）、並びに恐らく、もう一つの非炭酸飲料（複数可）、例えば、紅茶及び／又はレモネードなどである。
【０００４】
従来のバーガンは、典型的に、ユーザが、消費者が購入することを望み得る特注飲料、例えば、チェリー、バニラ、レモン、若しくはライム等で風味付けられたコーラ、又はレモン、オレンジ、ピーチ、ラズベリー等を風味付けられた紅茶を作ること又は受け取ることを許可するように構成されていない。
【０００５】
従来のバーガン吐出機及び方法の制限及び不利点を有しないバーガンシステムが必要とされている。
【発明の概要】
【０００６】
一実施形態では、例えば、ソーダを含む飲料を吐出するために、吐出システムが提供される。
【０００７】
本体部分及び吐出ヘッドを有する手持ち式液体吐出デバイスが、本明細書に記載される。吐出システムは、成分システムから手持ち式液体吐出デバイスまで延在する配管を含む手持ち式液体吐出デバイスから遠隔に位置する中央成分システムを含んでもよい。成分システムは、複数の飲料成分源を有してもよく、手持ち式液体吐出デバイスからの飲料の吐出のために配管を通じて飲料成分を供給するように構成されていてもよい。吐出システムは、少なくとも、飲料についての第１のユーザ選択及びその飲料を修正する成分についての第２のユーザ選択を受信するように構成されたユーザ入力デバイスも含んでもよい。飲料を修正する成分は、風味添加シロップ又は風味ショットであってもよい。
【０００８】
液体吐出システムは、各流れ制御弁が飲料成分と関連付けられている、複数の流れ制御弁を含んでもよい。液体吐出システムは、飲料選択に基づいて、複数の飲料成分を所定の流量で同時に吐出するように構成されていてもよい。
【０００９】
当業者であれば、本明細書で開示される吐出システムの特定の例示的な実施形態の以下の記載の恩恵を受ければ、本明細書で開示される少なくとも特定の実施形態が、強化された利点を提供するのに適した、改善された、又は代替の構成を有することを認識するであろう。本開示の、又は本開示の特定の実施形態のこれらの及び他の態様、特徴、及び利点は、以下の図面と併せて、以下の例示的な実施形態の記載から、当業者によって更に理解されるであろう。
【図面の簡単な説明】
【００１０】
【図１Ａ】本開示の態様によるバーガンを含む吐出システムの一実施形態を例示する。
【００１１】
【図１Ｂ】本開示の態様によるバーガンを含む吐出システムの一実施形態を例示する。
【００１２】
【図２】本開示の態様による吐出システムとの使用のための配管の断面概略図である。
【００１３】
【図３】本開示の様々な態様によるバーガンの一実施形態の側面図である。
【００１４】
【図４Ａ】本開示の態様による吐出システムの要素の概略図を例示する。
【００１５】
【図４Ｂ】本開示の態様による吐出システムの要素の概略図を例示する。
【００１６】
【図５Ａ】本開示の態様によるユーザインターフェースデバイスを示すバーガンの一実施形態の上面図である。
【００１７】
【図５Ｂ】本開示の態様によるユーザインターフェースデバイスを示すバーガンの更なる実施形態の上面図である。
【００１８】
【図６】本開示の様々な態様による例示的なユーザインターフェース画面である。
【発明を実施するための最良の形態】
【００１９】
本明細書に記載される本発明（複数可）は、数多くの異なる形態での実施形態の余地があるが、本開示が、本発明（複数可）の原理の例示とみなされるべきであり、また、本発明（複数可）の幅広い態様を例示される実施形態に限定することを意図したものではないという理解の下で、本発明（複数可）の例示的な実施形態が図面に示され、本明細書において詳細に説明される。本開示の範囲及び趣旨から逸脱することなく、他の実施形態を利用することができ、構造的変更及び機能的変更を行うことができることが理解されるべきである。
【００２０】
様々な実施形態の以下の説明において、その実施形態の一部を形成する添付図面が参照され、添付図面には、実例として、実践することができる本開示の様々な実施形態が示される。他の実施形態が利用され得ることを理解されたい。
【００２１】
本発明（複数可）による様々な例示的な構造の以下の説明において、その実施形態の一部を形成する添付図面が参照され、添付図面には、実例として、本発明（複数可）の態様を実践することができる様々な例示的なデバイス、システム、及び環境が示される。本発明（複数可）の範囲から逸脱することなく、他の特定の部品の配置、例示的なデバイス、システム、及び環境を使用することができ、構造的及び機能的な変形を行うことができることを理解されたい。また、「上部」、「底部」、「前面」、「後面」、「側面」、「後部」、「上向き」、「下向き」、及び同類の用語は、本仕様書において、本発明（複数可）の様々な例示的な特徴及び要素を説明するために使用され得るが、これらの用語は、例えば図に示される例示的な配向又は典型的な使用中の配向に基づいて、本明細書において便宜上使用される。加えて、「複数」という用語は、本明細書で使用するときに、１を超える、必要に応じて分離的又は結合的に無限数までの任意の数を示す。本明細書におけるいずれの記載も、本発明（複数可）の範囲に入るために構造の三次元配向を必要とするものと解釈されるべきではない。また、読者は、添付の図面が必ずしも一定の比率で描かれていないことに留意されたい。
【００２２】
一般に、本開示の態様は、液体を吐出するためのシステム及び方法に関する。様々な態様及び実施形態に従って、本吐出機は、本発明（複数可）の範囲から逸脱することなく、金属（金属合金を含む）、プラスチック、ポリマー、及び複合物などの様々な材料のうちの１つ以上で形成することができ、また、様々な構成のうちの１つで形成することができる。
【００２３】
本出願における様々な図は、本開示による吐出システムの実施例を例示する。同じ参照番号が２つ以上の図面に現れるときに、その参照番号は、本明細書において一貫して使用され、その図面は、全体を通して同じ又は類似する部品を参照する。
【００２４】
以下に記述される実施形態は、限定するものではないが、冷たい及び温かい飲料が挙げられる、及び限定するものではないが、あらゆるペプシコ（PepsiCo）という商標名の下で知られる飲料、例えば、ペプシコーラ（Pepsi-Cola）（登録商標）などが挙げられる、多種多様な飲料を形成するために使用され得る。
【００２５】
本開示の態様による吐出システム５０は、少なくとも図１〜図６に示される。本開示の態様による吐出システム５０は、例えば、ソーダを含む炭酸飲料などの飲料を含む液体を吐出するために使用され得る。吐出システム５０は、一般に、１つ以上の吐出デバイス１００を含むことができ、その吐出デバイス１００は、バーガン、ソーダガン、又は他の手持ち式液体吐出デバイス（手持ち式吐出機）であってもよい。各吐出デバイス１００は、本体１０１及び少なくとも１つの吐出ヘッド又はノズル１０２を含んでもよい。吐出デバイス１００は各々、ユーザがカスタム飲料を選択し得るように、吐出されるべき液体若しくは飲料の種類及び／又は飲料成分の組み合わせを選択するためにユーザによって使用され得る１つ以上のユーザインターフェースデバイス２００も含んでもよい。
【００２６】
吐出システム５０は、吐出デバイス（複数可）１００から遠隔に位置する及び配管３０１によって吐出位置１００に接続された成分システム３００も含んでもよい。成分システム３００は、例えば、水、様々なシロップ及び風味付け、並びに様々な微小成分を含む飲料成分を吐出デバイス（複数可）１００に供給するように構成されている。いくつかの実施形態では、吐出システム５０は、配管３０１によって共通の成分システム３００に接続された単一の吐出デバイス１００を含んでもよい。いくつかの実施形態では、吐出システム５０は、各々が配管３０１によって共通の成分システム３００に接続された複数の吐出デバイス１００を含んでもよい。いくつかの実施形態では、吐出システム５０は、各々が中央成分システム３００に接続された複数の吐出デバイス１００を有するモジュラーシステムであってもよい。
【００２７】
次に、主に図１Ａ〜１Ｂを参照すると、吐出デバイス１００は、バーガン、ソーダガン、又は他の手持ち式液体吐出デバイスを備えてもよい。各吐出デバイス１００は、本体１０１及び液体を吐出するように構成された少なくとも１つの吐出ノズル１０２を含んでもよい。各吐出デバイス１００は、１つ以上のユーザインターフェース２００も含んでもよく、そのユーザインターフェース２００を通じて、ユーザは、カスタム飲料を生成するために１つ以上の異なる種類の飲料及び／又は飲料成分を選択してもよい。以下により詳細に記述されるように、吐出デバイス１００は、接続点１０６も含んでもよく、その接続点は、吐出デバイス１００を成分システム３００及び／又は配管３０１に接続するために使用され得る。
【００２８】
吐出システム５０は、遠隔の成分システム３００に接続された単一の吐出デバイス１００を含んでもよい。他の実施形態では、図１Ａ及び１Ｂに示されるように、吐出システム５０は、遠隔の成分システム３００に接続された、複数の吐出デバイス１００を有してもよい。更に他の実施形態では、吐出システム５０は、各々が遠隔の成分システム３００に接続された追加の吐出デバイス１００を追加する能力を有するモジュラーであってもよい。図１Ａ及び１Ｂを参照すると、１つ以上の吐出デバイス１００、及び吐出デバイス（複数可）１００から遠隔に位置する成分システム３００を備える吐出システム５０が、提供されてもよい。配管３０１は、成分システム３００から吐出デバイス（複数可）１００まで延在し得る。いくつかの実施形態では、例えば、図１Ｂに示されるように、吐出システム５０は、配管３０１によって吐出デバイス１００の各々に接続され、かつ配管３０１によって遠隔の成分システム３００に接続されたマニホールド３０３も含んでもよい。
【００２９】
成分システム３００は、飲料成分の複数の源又は貯蔵器を有してもよい。成分システム３００は、多種多様な飲料の準備のために複数の高濃度成分を備えてもよい。各飲料成分３０２は、収納容器又は貯蔵器内に収納されてもよい。飲料成分３０２は、吐出デバイス１００から吐出されるように構成されている。収納容器は、カートリッジ、バッグ、又はバッグインボックス型の容器、及び任意の他の適切な収納容器を備えてもよい。飲料成分３０２は、例えば、ソフトドリンクシロップ３０４、及び風味成分又は「風味ショット」３０６を含んでもよい。飲料成分３０２は、水又は炭酸水３０８も含んでもよい。風味成分３０６を含む、シロップ３０４及び他の飲料成分は、あらゆるペプシコという商標名、例えば、ペプシコーラ（登録商標）などの下で知られる飲料を形成するためにＰｅｐｓｉＣｏ  Ｉｎｃ．によって提供されるもののいずれかを含んでもよい。上記に列挙した飲料成分に加えて、任意の他の数の飲料成分、例えば、水、牛乳等が含まれてもよい。
【００３０】
シロップ及び他の飲料成分３０２、３０４、３０６、３０８は、所望に応じて、ポンプによって収納容器又は他の供給容器から吐出位置１００までポンピングされてもよい。図１Ａ及び１Ｂに示されるように、成分システム３００は、成分システム３００から配管３０１を通じて吐出デバイス（複数可）１００まで飲料成分３０２をポンピングするために使用される１つ以上のポンプアセンブリ３１０も含んでもよい。いくつかの実施形態では、各成分３０２は、別個のポンプアセンブリ３１０と関連付けられてもよい。他の実施形態では、ポンプアセンブリ３１０は、複数の成分３０２と関連付けられてもよい。ポンプアセンブリ３１０は、他の液体、例えば、洗浄液などを、配管３０１を通じて吐出機ヘッド（複数可）１０２までポンピングするためにも使用されてもよい。ポンプアセンブリは、タンクからのＣＯ２によって駆動されてもよいし、ＣＯ２ガス支線を通じて供給されてもよい。これらのポンプは、従来のシロップポンプ、例えば、ＢＩＰポンプを含み得る。
【００３１】
上記に説明したように、バッグインボックス（ＢｉＢ）が、飲料成分３０２、例えば、ソフトドリンクシロップなどを吐出デバイス（複数可）１００に提供するために、いくつかの実施形態において使用されてもよい。いくつかの実施形態では、複数のＢｉＢが積み重ねられるか、又はラック上に設置されてもよい。いくつかの実施形態では、ＢｉＢは、波形ファイバーボードボックス内にプラスチック又は金属化フィルムからなるバッグ又は袋を含んでもよい。いくつかの実施形態では、吐出システム５０は、袋内の内容物の高さを判断するために電子式高さセンサを含んでもよい。
【００３２】
成分システム３００は、例えば、成分処理システム３２０を含む、他のシステムを含んでもよい。成分処理システム３２０は、成分３０２を処理するために使用され得る。例えば、成分処理システム３２０は、成分３０２を冷たい飲料のための所望の温度まで冷却するために使用されてもよいし、及び／又は成分を温かい飲料のための所望の温度まで加熱するために使用されてもよい。成分処理システム（複数可）３２０によって提供される成分温度範囲は、（例えば、スラリー又は軟氷製品を生成するか、あるいは準備するための）ほぼ氷結する直ぐ下の温度から（例えば、コーヒー又は紅茶などの温かい飲料を生成するか、あるいは準備するための）華氏約１８０度までであってもよい。
【００３３】
成分処理システム３２０は、味を改善し、臭いを減らし、かつ／又は塩素を減らし得る任意の好適な処理システムでもあり得る。成分処理システム３２０は、例えば、逆浸透（ＲＯ）を含むが、これに限定されない、システムを通じて純水近くまで水質を改善し得る水処理システムであってもよい。成分処理システム（複数可）３２０からの、水を含む、処理された成分は、吐出デバイス（複数可）１００に提供されてもよい。
【００３４】
図２は、本明細書において主束３０１とも称される配管３０１の一実施形態の断面図を描写する。図３に示されるように、配管又は主束３０１は、外部パイプ３２２、及びより小さな内部パイプ３２４の束を備える。内部パイプ３２４は、飲料／シロップライン、風味付けライン、並びに水及び炭酸水ラインを含む任意の飲料成分３０２を備えてもよい。他の実施形態では、配管３０１は、外部パイプ３２２を有さずに、複数の別個の内部パイプ３２４を含んでもよい。
【００３５】
配管３０１は、戻しライン又は水戻しラインも含んでもよい。戻しラインは、例えば、成分システム３００に戻されるように、吐出ヘッド１０２から吐出されない水の循環を可能にし得る。
【００３６】
次に、図３、４Ａ、及び４Ｂを参照する。図３は、本開示の態様によるバーガン、ソーダガン、又は他の手持ち式液体吐出デバイスを備える吐出デバイス１００を描写する。図４Ａ及び４Ｂは、本開示の態様による、吐出デバイス１００の内部部分を含む電子的に制御される吐出システム５０を概略的に例示する。上記に説明したように、吐出デバイス１００は、本体１０１と、液体を吐出するように構成された吐出ノズル１０２と、を含んでもよい。吐出デバイス１００は、１つ以上のユーザインターフェース２００も含んでもよく、そのユーザインターフェース２００を通じて、ユーザは、カスタム飲料を生成するために１つ以上の異なる種類の飲料及び／又は飲料成分を選択してもよい。
【００３７】
図４Ａに示されるように、飲料成分３０２は、ポンプアセンブリ３１０に接続され、その飲料成分３０２は、例えば、ソフトドリンクシロップ３０４、風味成分３０６、及び水３０８を含み得る。成分３０２及びポンプアセンブリ３１０は、成分３０２が、吐出デバイス１００にポンピングされ得るように、配管３０１を介して吐出デバイス１００に接続される。吐出デバイス１００及び／又は吐出機本体１０１は、複数の導管１２１を備えてもよく、その複数の導管１２１を通じて、飲料成分３０２が、ノズル１０２の中に流れてもよい。いくつかの実施形態では、吐出デバイス１００の本体１０１は、成分システム３００及び／又は配管３０１から吐出デバイス１００に供給される飲料成分３０２の各々と関連付けられた別個の導管１２１を含んでもよい。いくつかの実施形態では、本体１０１は、共通の導管１２１を含んでもよく、その共通の導管１２１を通じて、複数の異なる成分３０２が流れてもよい。
【００３８】
吐出デバイス１００は、成分システム３００及び／又は配管３０１から吐出デバイスに供給される各飲料成分と関連付けられた弁アセンブリ１４０も含んでもよい。成分システム３００及び／又は配管３０１から吐出デバイス１００に供給される各飲料成分３０２は、弁アセンブリ１４０と関連付けられてもよい。例えば、吐出デバイス内の各飲料成分導管１２１が、弁アセンブリ１４０と関連付けられてもよい。弁アセンブリ１４０は、流れ制御弁１４２と、関連付けられた流れ制御弁１４２を作動又は調整することができる作動デバイス１４４と、を備えてもよい。いくつかの実施形態では、作動デバイス１４４が、ソレノイドであってもよい。各弁アセンブリ１４０は、吐出デバイス１００を通る特定の飲料成分３０２の流れを制御して、各成分を所定の流量でノズル１０２に提供してもよい。弁アセンブリ１４０が、吐出デバイス本体１０１内にあるように図４Ａにおいて示されるが、弁アセンブリ１４０は、吐出デバイス本体１０１の外側に位置してもよい。例えば、図４Ｂに示されるように、いくつかの実施形態では、弁アセンブリ１４０は、マニホールド３０３内に位置してもよい。他の実施形態では、例えば、弁アセンブリ１４０は、成分システム３００に位置してもよい。以下により詳細に記述されるように、動作中、ユーザインターフェース２００及びコントローラ又は制御ユニット５００が、適切なポンプ３１０及び／又は弁アセンブリ１４０を制御して、選択された飲料及び／又は飲料成分（複数可）３０２を一定の流量で吐出してもよい。
【００３９】
関連付けられた弁アセンブリ１４０を出た後、飲料成分３０２は、ノズル１０２まで流れ得る。いくつかの実施形態では、システム５０は、飲料及び／又は飲料成分３０２が、ノズル出口１０３においてノズル１０２から出た後に混ざるように構成されるように構成されていてもよい。他の実施形態では、吐出デバイス１００は、飲料及び／又は飲料成分３０２を混合するように構成された混合チャンバ１５０を含んでもよい。いくつかの実施形態では、例えば、図３に示されるように、ノズル１０２が、混合チャンバ１５０として構成されていてもよく、飲料及び／又は飲料成分３０２が、ノズル１０２内で混ざってもよい。上述したように、任意の飲料成分が、吐出デバイス１００に供給されてもよい。例えば、レギュラーのペプシコーラ（登録商標）の飲料が、シロップ及び炭酸水を各々所定の流量で提供することによって形成されてもよい。いくつかの実施形態では、ノズル出口１０３においてノズル１０２及び／又は混合チャンバ１５０から出る混合物が、重量で約５：１の飲料成分（又はシロップ）：水の比率を有してもよい。
【００４０】
いくつかの実施形態では、吐出デバイス１００は、吐出デバイス１００を実質的に洗浄することができる後洗浄システムも含んでもよい。例えば、いくつかの実施形態では、混合チャンバ１５０及び／又はノズル１０２は、飲料の吐出後に混合チャンバ１５０及び／又はノズル１０２を実質的に洗浄することができる後洗浄システムを含んでもよい。流体がノズル１０２を通って吐出された後、流体又は他の洗浄材料が、混合チャンバ１５０の中に入って、混合チャンバを洗浄し、着色及び／又は風味付けを実質的に除去してもよい。いくつかの実施形態では、例えば、吐出デバイス１００は、ユーザが飲料を吐出した後、水及び／又は炭酸水を混合チャンバ１５０及び／又はノズル１０２の中に射出するように構成されていてもよい。いくつかの実施形態では、例えば、飲料の吐出の間、吐出デバイス１００は、水及び／又は炭酸水が、混合チャンバ１５０及び／又はノズル１０２を洗浄するように、他の成分よりも長い期間にわたって水及び／又は炭酸水を混合チャンバ１５０の中に射出するように構成されていてもよい。
【００４１】
いくつかの実施形態では、吐出デバイス１００は、紫外クリーニングデバイスを含んでもよく、その紫外クリーニングデバイスは、例えば、特にノズル１０２近くの吐出デバイス１００上の微生物を殺すこと及び／又は不活性化させることなどによって、クリーニングするために使用されてもよい。いくつかの実施形態では、吐出デバイス１００は、吐出デバイス１００に提供される飲料成分を冷却又は加熱するために冷蔵ユニット又は加熱ユニットも含んでもよい。
【００４２】
上記に説明したように、各吐出デバイス１００は、１つ以上のユーザインターフェース２００を含んでもよいし、又はそのユーザインターフェース２００と関連付けられてもよい。例えば、図３、５Ａ、及び５Ｂに示されるように、ユーザインターフェース２００は、吐出デバイス１００の上面１０４上に位置してもよい。他の実施形態では、例えば、図６に示されるように、ユーザインターフェース２００は、吐出デバイス１００から分離されてもよい。ユーザインターフェース２００は、ユーザが、入力を吐出システム５０に提供することを可能にする任意の構成要素又は構成要素の群を含んでもよい。構成要素又は構成要素の群は、機械的、電気的、又は電気機械的であってもよい。ユーザインターフェース２００は、タッチ感応パネル又はパッドであってもよいし、例えば、１つ以上の電極層を含む、様々な層から構築されてもよい。他の実施形態では、ユーザインターフェースは、タッチ感応画面であってもよいし、例えば、１つ以上のガラス層、電極層、絶縁材料、及び接着剤を含む、様々な層から構築されてもよい。
【００４３】
ユーザインターフェース２００は、１つ以上のタッチ感応エリアをサポートしてもよく、それらのエリア内のタッチによってユーザ相互作用を可能にする。ユーザインターフェースデバイス２００は、本明細書に記載される１つ以上の新規の方法に従って実装されてもよい。一実施例として、ユーザインターフェースデバイス２００は、飲料を吐出するための命令を提供するために使用されてもよい。一実施形態では、ユーザインターフェースデバイス２００は、ユーザが、吐出システム５０に特定の飲料配合及び／又は特定の飲料成分３０２を吐出するように命令することを可能にしてもよい。ユーザインターフェースデバイス２００は、ユーザが、例えば、１つ以上の風味成分３０６又は風味添加物を添加することによって、飲料又は飲料配合をカスタマイズすることを可能にすることもできる。
【００４４】
以下により詳細に記述されるように、飲料吐出システム５０は、１つ以上の制御ユニット５００を含んでもよく、その制御ユニット５００は、ユーザインターフェース２００から動作を受信するために及び他の動作を行うためにユーザインターフェース２００とインターフェースを取られ得る。例えば、制御ユニット５００は、吐出システム５０を制御して、吐出デバイス１００から飲料及び／又は飲料成分を吐出してもよい。制御ユニット５００は、例えば、弁アセンブリ１４０及び／又はポンプ３１０を制御してもよい。
【００４５】
図５Ａは、本明細書における開示を考慮して、ユーザインターフェース２００の多くの可能な配列のうちの１つを描写する。上記に説明したように、ユーザインターフェース２００は、吐出デバイス１００の上面１０４上に含まれてもよい。しかしながら、他の実施形態では、ユーザインターフェース２００は、吐出デバイス１００の他の部分上に位置してもよい。ユーザインターフェース２００は、選択のための様々な飲料オプションを含んでもよい。いくつかの実施形態では、ユーザインターフェース２００は、例えば、レギュラーコーラ飲料、ダイエットコーラ飲料、１つ以上の非コーラ炭酸飲料、例えば、レモン−ライム風味の炭酸飲料又はいくつかの他のフルーツ風味の飲み物（例えば、オレンジ風味の炭酸飲料、及び／又はルートビア）など、並びに１つ以上の非炭酸飲料、例えば、紅茶及び／又はレモネードなどを含む、様々な飲料オプション２２０を含んでもよい。ユーザインターフェースは、例えば、バニラ、イチゴ、ラズベリー、レモン、ライム等を含む、様々な風味又は成分添加又は除去オプション２３０も含んでもよい。いくつかの実施形態では、ユーザインターフェース２００は、例えば、飲料成分３０２を一定の流量で吐出するために、非炭酸水又は炭酸水のためのオプション含む、水オプション２３５も含んでもよい。
【００４６】
ユーザインターフェース２００は、どの飲料２２０、風味若しくは成分２３０、及び／又は水２３５オプションが選択されているかを示すための表示器２３６も含んでもよい。表示器（複数可）２３６は、光源、例えば、発光ダイオードなどであってもよい。他の実施例では、表示器は、選択が選ばれたことをユーザに表示することができる高くなった部分又は他のデバイスであってもよい。図５Ａに示されるように、表示器２３６は、風味又は成分オプション２３０と関連付けられて示される。それ故に、ユーザは、ユーザによって選ばれた飲料２２０又は水２３５選択に添加される風味又は成分オプション２３０を選択してもよい。表示器２３６は、どの風味又は成分オプションが選ばれているかをユーザに表示する。飲料選択オプション２２０は、飲料成分３０２と関連付けられ得、風味又は成分選択オプション２３０は、風味成分又は「風味ショット」３０６と関連付けられ得、水選択オプションは、水又は炭酸水３０８と関連付けられ得る。
【００４７】
図５Ａに示されるように、ユーザインターフェース２００を有する吐出デバイスから飲料を吐出するために、ユーザは、最初に、１つ以上の風味又は成分オプション２３０を選択してもよい。一旦、ユーザが風味又は成分オプション２３０を選択したら、選択された風味又は成分オプション２３０と関連付けられた表示器２３６が作動し、選択されたオプション２３０をユーザに表示することができる。風味又は成分オプション２３０の選択後、ユーザは、次いで、飲料オプション２２０又は水オプション２３５を選択してもよく、そのオプションに風味又は成分オプション３２０が追加される。一旦、飲料２２０又は水２３５オプションがユーザによって押されると、選択された飲料２２０及び／又は水２３５が、所定の流量で吐出されてもよく、選択された風味又は成分オプション２３０が、別の所定の流量で吐出されてもよい。選択された飲料２２０、水２３５、及び／又は成分オプション２３０の流量は、弁アセンブリ１４０によって制御されてもよい。実施形態では、ユーザは、任意の順序で飲料オプション２２０、水オプション２３５、及び／又は風味成分オプション２３０を選択してもよい。
【００４８】
ある特定の実施例では、ユーザは、最初に、チェリー風味付けに対応し得る、図５Ａにおいて「Ｃ」とラベル付けられた風味又は成分オプション２３０を選択し得る。次に、ユーザは、コーラ飲料に対応し得る、図５Ａにおいて「１」とラベル付けられた飲料オプション２２０を選択し得る。一旦ユーザが図５Ａにおいて「１」とラベル付けられた表示器を押すと、吐出デバイス１００は、ユーザが飲料選択オプション２２０を解除するまで、コーラシロップを第１の所定の流量で、炭酸水を第２の所定の流量で、及びチェリー風味のシロップを第３の所定の流量で同時に吐出し得る。いくつかの実施形態では、上記に説明したように、ユーザが飲料選択オプション２２０を解除した後、炭酸水が吐出し続けて、ノズル１０２から残った風味又は着色を洗浄してもよい。
【００４９】
同様に、別の特定の実施例では、ユーザは、風味又は成分２３０の添加と共に水２３５（炭酸水又は非炭酸水）を望む可能性がある。かかる実施例では、ユーザは、最初に、バニラ風味付けに対応し得る、図５Ａにおいて「Ｖ」とラベル付けられた風味又は成分オプション２３０を選択し得る。次に、ユーザは、炭酸水に対応し得る、図５Ａにおいて「Ｓ」とラベル付けられた水オプション２３５を選択し得る。一旦ユーザが図５Ａにおいて「Ｓ」とラベル付けられた表示器を押すと、吐出デバイス１００は、ユーザが水選択オプション２３５を解除するまで、炭酸水を第１の所定の流量で、及びバニラ風味のシロップを第２の所定の流量で、同時に吐出し得る。いくつかの実施形態では、上記に説明したように、ユーザが水選択オプション２３５を解除した後、水２３５が吐出し続けて、ノズル１０２から残った風味又は着色を洗浄してもよい。
【００５０】
いくつかの実施形態では、ユーザインターフェース２００及び／又は吐出デバイス１００は、選択された飲料を吐出するために別個の吐出ボタン２３８を含んでもよい。例えば、図５Ｂに示されるように、ユーザインターフェース２００は、飲料２２０、風味若しくは成分２３０、及び水２３５オプションの各々と関連付けられた表示器２３６も含んでもよい。図５Ｂに示されるように、ユーザインターフェース２００を有する吐出システム５０から飲料を吐出するために、ユーザは、１つ以上の風味若しくは成分オプション２３０と、その風味又は成分オプションが追加される飲料オプション２２０又は水オプション２３５を選択してもよい。表示器２３６は、どの飲料オプションが選択されたかをユーザに示し得る。ユーザは、次いで、吐出ボタン２３８を押し得、それは、選択された飲料２２０及び／又は水２３５を所定の流量で吐出させ得、選択された風味又は成分オプション２３０を別の所定の流量で吐出させ得る。選択された飲料２２０、水２３５、及び／又は成分オプション２３０の流量は、弁アセンブリ１４０によって制御されてもよい。実施形態では、ユーザは、任意の順序で飲料オプション２２０、水オプション２３５、及び／又は風味成分オプション２３０を選択してもよい。
【００５１】
ある特定の実施例では、ユーザは、最初に、ライム風味付けに対応し得る、図５Ｂにおいて「Ｌ」とラベル付けられた風味又は成分オプション２３０を選択し得る。ユーザは、レモン−ライムソフトドリンクに対応し得る、図５Ｂにおいて「２」とラベル付けられた飲料オプション２２０も選択し得る。ユーザは、次いで、吐出ボタン２３８を押し得、吐出デバイス１００は、ユーザが吐出ボタン２３８を解除するまで、レモン−ライムシロップを第１の所定の流量で、炭酸水を第２の所定の流量で、及びライム風味のシロップを第３の所定の流量で、同時に吐出し得る。いくつかの実施形態では、上記に説明したように、ユーザが吐出ボタン２３８を解除した後、炭酸水が吐出し続けて、ノズル１０２から残った風味又は着色を洗浄してもよい。
【００５２】
同様に、別の特定の実施例では、ユーザは、風味又は成分２３０の添加と共に水２３５（炭酸水又は非炭酸水）を望む可能性がある。かかる実施例では、ユーザは、最初に、レモン風味付けに対応し得る、図５Ｂにおいて「Ｓ」とラベル付けられた風味又は成分オプション２３０を選択し得る。次に、ユーザは、非炭酸水に対応し得る、図５Ｂにおいて「Ｗ」とラベル付けられた水２３５オプションを選択し得る。ユーザは、次いで、吐出ボタン２３８を押し得、吐出デバイス１００は、ユーザが吐出ボタン２３８を解除するまで、非炭酸水を第１の所定の流量で、及びレモン風味のシロップを第２の所定の流量で、同時に吐出し得る。いくつかの実施形態では、上記に説明したように、ユーザが吐出ボタン２３８を解除した後、水２３５が吐出し続けて、ノズル１０２から残った風味又は着色を洗浄してもよい。
【００５３】
上述したように、例えば、図１Ａ、１Ｂ、及び４に示されるように、飲料吐出システム５０は、１つ以上の制御ユニット５００を含んでもよく、その制御ユニット５０は、ユーザインターフェース２００から動作を受信するために及び他の動作を行うためにユーザインターフェース２００とインターフェースを取られ得る。例えば、制御ユニット５００は、吐出システム５０を制御して、ユーザによって選択される際に吐出ヘッド１０２から飲料を吐出してもよい。制御ユニット５００は、例えば、ユーザインターフェース２００の動作を管理し得る。制御ユニット５００は、例えば、ポンプ３１０及び弁アセンブリ１４０を制御して、ユーザインターフェース２００からの入力及び／又は飲料選択に基づいて、吐出デバイス１００から飲料を吐出することもできる。制御ユニット５００は、様々な位置に位置してもよい。例えば、制御ユニット５００は、成分システム３００内、吐出デバイス１００内、及び／又は吐出システム５０内の他の様々な位置に位置してもよい。
【００５４】
図４Ａ及び４Ｂに見られるように、ユーザインターフェース２００は、制御ユニット５００とインターフェースを取られてもよく、その制御ユニット５００は、ポンプ３１０及び／又は弁アセンブリ１４０とインターフェースを取られてもよい。インターフェースは、制御ユニット５００と、ユーザインターフェース２００、ポンプ３１０、及び弁アセンブリ１４０を含む吐出システム５０の様々な他の部分との間の動作通信を提供し得る。
【００５５】
いくつかの実施形態では、吐出システム５０は、ネットワーク接続５１０も含んでもよく、ネットワーク接続５１０は、１つ以上のユーザ入力も提供し得（かつ発信信号も送信し得）、吐出システム５０を通信ネットワーク、例えば、ＬＡＮ又はインターネットなどに連結する。吐出システム５０は、ツイストペア線、同軸ケーブル、光ファイバー、又は他の媒体を介して通信ネットワークに接続されてもよい。代わりに、電波が、１つ以上の飲料吐出システム５０を通信ネットワークに接続するために使用されてもよい。１つのかかる実施形態では、１つ以上の吐出システム５０及び／又は吐出デバイス１００が、互いに通信してもよく、吐出される固有配合を含む、他の吐出システム５０及び／又は吐出デバイス１００に関する情報を容易に送信及び受信してもよい。一実施形態では、複数の吐出システム５０及び／又は吐出デバイス１００は各々、中央サーバを通じて互いに連結されてもよい。更に別の実施形態では、吐出システム５０及び／又は吐出デバイス１００は、互いに直接通信してもよい。
【００５６】
制御ユニット５００は、１つ以上のプロセッサ、電子迂遠、メモリ、及び／又は個別論理を含んでもよい。プロセッサは、ユーザインターフェースデバイス２００及び／又はネットワーク接続から受信される、コンピュータ可読媒体上の命令を実行するように構成されていてもよい。いくつかの実施形態では、制御ユニット５００は、クロック、カレンダリングソフトウェア、センサへのインターフェース、例えば、飲料利用可能性又は他の在庫レベルなどを含んでもよい。制御ユニット５００は、ユーザインターフェース２００に接続されて、タッチパッド及び／又はタッチ画面を動作させ、かつユーザインターフェース２００からのユーザ入力を受信してもよい。例えば、いくつかの実施形態では、制御ユニット５００は、ユーザによってタッチされたユーザインターフェース２００上の位置を表す座標を受信してもよい。
【００５７】
上述したように、いくつかの実施形態では、ユーザインターフェース２００は、タッチ画面であってもよい。１つの例示的なタッチ画面が、図６に示される。タッチ画面又はユーザインターフェース２００は、吐出デバイス１００上に含まれてもよいし、又は吐出デバイス１００から離れて含まれてもよい。
【００５８】
いくつかの実施形態では、ユーザインターフェース２００は、飲料を選択するための相互作用により、ユーザを導く又は先導するように制御されてもよい。例えば、様々な飲料及び／又は水オプション２２０、２３５と関連付けられた図柄又はグラフィックス（オブジェクト）が、最初にユーザに示されてもよい。上述したように、これは、例えば、レギュラーコーラ飲料、ダイエットコーラ飲料、１つ以上の非コーラ炭酸飲料、例えば、レモン−ライム風味の炭酸飲料又はいくつか他のフルーツ風味の飲み物（例えば、オレンジ風味の炭酸飲料、及び／又はルートビア）など、１つ以上の非炭酸飲料、例えば、紅茶及び／又はレモネード、並びに炭酸及び非炭酸水などを含むことができる。次に、ユーザインターフェース２００は、例えば、バニラ、イチゴ、ラズベリー、レモン、ライム等を含む、様々な風味若しくは成分添加又は除去オプション２３０を表示してもよい。いくつかの実施形態では、ユーザインターフェース２００は、例えば、非炭酸水又は炭酸水のためのオプションを含む、水オプション２３５も含んでもよい。最後に、「注入」又は「充填」オブジェクトが、ユーザインターフェース２００上に示されて、飲料吐出プロセスが最終段階に進んだことをユーザに警告してもよく、そして、飲料が、吐出されてもよい。
【００５９】
いくつかの実施形態では、ユーザインターフェース２００は、飲料製品／シロップ又は風味付けの利用可能性に基づいて構成されていてもよい。例えば、万一、風味付けが利用不可能であれば、制御ユニット５００は、その風味付けに関連するオブジェクトを示さないように、ユーザインターフェース２００を制御してもよい。
【００６０】
いくつかの実施形態では、ユーザインターフェース２００は、複数の画面を含んでもよい。例えば、いくつかの画面が、炭酸飲料に関連する画像を提供してもよく、一方で、別の画面が、ジュースに関連する画像を提供してもよい。いくつかの実施形態では、ユーザインターフェース２００は、見出しエリア又は見出し画面２１０を含んでもよく、この箇所２１０において、消費者に種々の選択を行うことを促すために図形、文字、又は他の視覚情報が配置され得る。いくつかの実施形態は、キャンセル選択エリア２６０を含んでもよい。
【００６１】
いくつかの実施形態では、ユーザインターフェース２００が、時刻に基づいて構成されていてもよい。例えば、朝の時間に、制御ユニット５００が、ジュースに関連するオブジェクトを示すようにユーザインターフェース２００を制御してもよく、一方で、午後又は夕方の時間に、制御ユニット５００が、炭酸飲料に関連するオブジェクトを示すようにユーザインターフェース２００を制御してもよい。
【００６２】
ユーザがユーザインターフェース２００においてオブジェクトを選択すると、ユーザインターフェースの様々な他の部分及び／又は画面が、示されてもよい。例えば、飲料選択２２０、２３５を提供する第１の画面が、提供されてもよい。一旦、飲料が選択されたら、様々な他の部分及び／又は画面が、ユーザのための有効な次の選択を表示するために提供されてもよい。例えば、「注入」オプション２３８及び／又は画面が、示されてもよく、又は風味添加部分２３０が、これらの部分のいずれかが有効な次の選択であることをユーザに表示するように示されてもよい。
【００６３】
ユーザインターフェース２００は、ユーザ入力がある特定のエリアからもはや受け付けられ得ないように、及びインターフェースが最初の状態にリセットし得るように、いくつかの実施形態では、タイムアウトしてもよい。
【００６４】
いくつかの実施形態では、吐出システム５０は、入力／出力システムを含んでもよく、その入力／出力システムは、情報を送信及び受信するために、いくつかのポート、例えば、ＵＳＢポート（複数可）及び／又はイーサネットポート（複数可）などを含んでもよい。入力／出力システムは、吐出システム５０内の幾つもの変数を変更するためにユーザによって使用されてもよい。例えば、入力／出力システムは、吐出システム５０上の保守を行うために、飲料成分の流量を調整するために、及び／又はユーザインターフェース２００に関する変数を変更するために使用されてもよい。
【００６５】
いくつかの実施形態では、インターフェース２００は、「クリーニング」モードを含んでもよく、そのモードでは、ユーザインターフェース２００は、例えば１５秒などの所定の期間、入力に応答しなくなってもよい。「掃除」モードは、飲料を供給せずに、拭き取りを容易にするためにユーザ入力、又はさもなければクリーニングのためにユーザインターフェース２００のタッチを不能状態にする。所定期間の満了において、ユーザインターフェース２００は、「クリーニング」モードを出て、通常動作に戻ってもよい。
【００６６】
いくつかの実施形態では、吐出システム５０は、他の特徴及び／又はシステムを含んでもよい。例えば、吐出システム５０は、自動消毒システムも含んでもよい。当業者であれば、消毒サイクルが運転され得るように、システムの一部分のロックが使用されてもよいことを認識するであろう。例えば、消毒剤の認識を伴うロックアウト特徴が、意図しない飲料吐出を防ぐために提供されてもよい。消毒剤の認識を伴うロックアウト特徴は、機械及び電気的な安全重複性を有してもよい。
【００６７】
吐出システム５０は、ソーシャルメディアシステム若しくはアプリケーションを備えてもよいし、及び／又はソーシャルメディアシステム若しくはアプリケーションと通信してもよい。例えば、消費者のモバイルデバイスが、吐出システム５０にリンクされたセンサから所定の距離内にあるとき、消費者が飲料を購入したいかどうかを消費者に尋ねるメッセージが、消費者のモバイルデバイスに送信されてもよい。ソーシャルメディアシステム又はアプリケーションは、消費者の過去の購入及び／又は特定された好みに基づいて、消費者の好み又は複数の好みを吐出システム５０にダウンロードしてもよい。
【００６８】
吐出システム５０は、レストラン、劇場、他の娯楽場、並びに飲料の製造業者及び／又は配給業者を含むが、これらに限定されない飲料の売主のソーシャルメディアシステム又はアプリケーションを含むが、これらに限定されないソーシャルメディアシステム又はアプリケーション経由で、消費者から飲料注文を受信することもできる。消費者は、吐出デバイス１００に到着する前に、飲み物が、その時までに又は消費者が吐出デバイス１００に到着する時間の近くまでに、準備され得る及びカップ内に入れられ得るように、飲料を注文してもよい。
【００６９】
それ故に、システムは、個人を認識してもよく、及び何の飲料（複数可）又は種類の飲料（複数可）を個人に提供するかに関する一定の決定を行ってもよい。かかる飲料が過去に個人によって注文された場合、又は個人が、その飲料をソーシャルメディアシステム又はアプリケーション上で好みとして特定した場合、システムは、システムが何を慣例的に提供するかを変更してもよい。
【００７０】
本明細書における発明（複数可）は、図面の実施形態を参照して説明及び例示されたが、発明（複数可）の特徴は、発明（複数可）の趣旨から著しく逸脱することなく、修正、改変、変更、又は置換を受けやすいことを理解されたい。例えば、様々な構成要素の寸法、数、サイズ、及び形状は、特定用途に適合するように変えられてもよい。したがって、本明細書に例示及び説明された特定の実施形態は、単に例示目的のためのものであり、本発明（複数可）は、以下の特許請求の範囲及びそれらの同等物以外に限定されない。
【図１Ａ】
2018527259.tif 000003
【図１Ｂ】
2018527259.tif 000004
【図２】
2018527259.tif 000005
【図３】
2018527259.tif 000006
【図４Ａ】
2018527259.tif 000007
【図４Ｂ】
2018527259.tif 000008
【図５Ａ】
2018527259.tif 000009
【図５Ｂ】
2018527259.tif 000010
【図６】
2018527259.tif 000011
【国際調査報告】
2018527259.tif 000012